(57)【要約】【課題】表示パネルモジュールの輸送時における破損を防ぐことができ、しかも梱包部材の安価な梱包方法を提供することを目的とする。【解決手段】パネルの背面側に金属製のシャーシ部材を配置するとともに前記シャーシ部材の背面側に前記パネルに駆動信号を供給する駆動回路基板を取り付けてパネルモジュール１７を構成し、このパネルモジュール１７の両端部にこの両端部のみを覆うように緩衝カバー１８を配置してモジュール梱包体１９を構成し、このモジュール梱包体１９をパネルが垂直となるように立てた状態として複数個梱包箱に収容する。これにより、表示パネルモジュールの輸送時における破損を防ぐことができ、しかも梱包部材の安価な梱包方法を提供することができるという効果を得ることができる。【選択図】図８
2010241481.tif 000002
【特許請求の範囲】
【請求項１】
表示パネルの背面側に金属製のシャーシ部材を配置するとともに前記シャーシ部材の背面側に前記表示パネルに駆動信号を供給する駆動回路基板を取り付けてパネルモジュールを構成し、このパネルモジュールの両端部にこの両端部のみを覆うように緩衝カバーを配置してモジュール梱包体を構成し、このモジュール梱包体を前記パネルが垂直となるように立てた状態として複数個梱包箱に収容することを特徴とする表示パネルモジュールの梱包方法。
【請求項２】
前記モジュール梱包体を表示パネルが垂直となるように立てた状態として複数個梱包箱に収容するとともに、少なくとも２個のモジュール梱包体を連結するようにモジュール梱包体の上部コーナー部にストッパーを被せることを特徴とする請求項１に記載の表示パネルモジュールの梱包方法。
【発明の詳細な説明】
【技術分野】
【０００１】
本発明は、大画面で、薄型、軽量のディスプレイ装置として知られているプラズマディスプレイ装置などの表示装置において、表示パネルモジュールの梱包方法に関するものである。
【背景技術】
【０００２】
近年、プラズマディスプレイ装置は、視認性に優れた表示パネル（薄型表示デバイス）として注目されており、高精細化及び大画面化が進められている。
【０００３】
このプラズマディスプレイ装置には、大別して、駆動的にはＡＣ型とＤＣ型があり、放電形式では面放電型と対向放電型の２種類があるが、高精細化、大画面化及び製造の簡便性から、現状では、ＡＣ型で面放電型のプラズマディスプレイ装置が主流を占めるようになってきている。
【０００４】
このようなプラズマディスプレイ装置においては、透明な一対のガラス基板を間に放電空間が形成されるように対向配置するとともにガラス基板に電極群を配置したパネルと、このパネルを保持するシャーシ部材と、このシャーシ部材に取り付けられ前記パネルに信号を印加して表示を行う表示駆動回路基板とでパネルモジュールを構成し、このパネルモジュールを筐体で覆うことにより完成品としている。
【０００５】
このようなプラズマディスプレイ装置は、液晶表示装置やＣＲＴなどの他の表示装置に比べて大画面を実現しやすく、また他の大型の表示装置に比べて鮮明な映像が得られるという特徴を有しており、このため多くの人が集まる場所での情報表示装置として、また家庭で迫力のある映像を楽しむことができる映像機器として脚光を集めている。
【０００６】
一方、このプラズマディスプレイ装置は、大画面を実現しやすいという反面、パネルの主要構成部品であるガラス基板として、大きいガラス基板が必要となり、また複数の放電セルを選択的にプラズマ放電させることにより画像を表示することから、表示駆動時に多くの熱が発生してしまう。このため、プラズマディスプレイ装置においては、他の表示装置では考慮しなくてもよかった事項について、対策を検討することが要求されている。
【０００７】
ところで、近年、この種のプラズマディスプレイ装置においては、パネルの製造に大規模な設備を準備する必要があることから、パネルを生産するメーカーよりパネルモジュールの状態で購入し、そのパネルモジュールに搭載されていない他の駆動回路基板を組込むと共に、筐体内に入れてプラズマディスプレイ装置の完成品とすることが行われている。しかも、パネル単品ではなく、パネルにアルミニウムなどのシャーシを取付けた状態で輸送しており、シャーシにガラスが固定されているため、輸送等についても強度的にも何ら心配することはなかった。
【０００８】
一方、特許文献１に示すように、パネル単品の状態で輸送することも検討されているが、パネルはガラスで構成されているため、シャーシがない状態では強度的に非常に弱く、またパネルから引き出されたフレキシブル配線板をどのように梱包するかという大きな課題であった。
【先行技術文献】
【特許文献】
【０００９】
【特許文献１】特開２００４−６７１５９号公報
【発明の概要】
【発明が解決しようとする課題】
【００１０】
本発明はこのような課題に鑑みなされたもので、表示パネルモジュールの輸送時における破損を防ぐことができ、しかも梱包部材の安価な梱包方法を提供することを目的とする。
【課題を解決するための手段】
【００１１】
上記課題を解決するために本発明は、表示パネルの背面側に金属製のシャーシ部材を配置するとともに前記シャーシ部材の背面側に前記表示パネルに駆動信号を供給する駆動回路基板を取り付けてパネルモジュールを構成し、このパネルモジュールの両端部にこの両端部のみを覆うように緩衝カバーを配置してモジュール梱包体を構成し、このモジュール梱包体を前記パネルが垂直となるように立てた状態として複数個梱包箱に収容することを特徴とするものである。
【発明の効果】
【００１２】
本発明によれば、パネルモジュールの両端部にこの両端部のみを覆うように緩衝カバーを配置してモジュール梱包体を構成し、このモジュール梱包体を前記パネルが垂直となるように立てた状態として複数個梱包箱に収容するものであり、表示パネルモジュールの輸送時における破損を防ぐことができ、しかも梱包部材の安価な梱包方法を提供することができるという効果を得ることができる。
【図面の簡単な説明】
【００１３】
【図１】プラズマディスプレイ装置のパネル構造を示す斜視図
【図２】同パネルの電極配線を示す配線図
【図３】プラズマディスプレイ装置の全体構成を示す分解斜視図
【図４】本発明の一実施の形態による表示パネルモジュールの梱包方法を説明するための斜視図
【図５】同じく分解斜視図
【図６】同梱包方法において、梱包箱への収容状況を示す斜視図
【図７】同じく梱包箱への収容状況を示す斜視図
【図８】同じく梱包箱への収容状況を示す斜視図
【図９】同じく梱包箱への収容状況を示す斜視図
【図１０】同梱包方法において、ストッパーを配置した状態を示す斜視図
【図１１】ストッパーを説明するための斜視図
【図１２】ストッパーの作用を説明するための概略図
【発明を実施するための形態】
【００１４】
以下、本発明の一実施の形態について、プラズマディスプレイ装置に用いる表示パネルを例にとって、図１〜図１２を用いて説明するが、本発明はこれに限定されるものではない。
【００１５】
まず、プラズマディスプレイ装置について、図１〜図３を用いて説明する。図１にプラズマディスプレイ装置におけるパネルの構造を示している。図１に示すように、ガラス基板などの透明な前面側の基板１上には、スキャン電極とサステイン電極とで対をなすストライプ状の表示電極２が複数列形成され、そしてその電極群を覆うように誘電体層３が形成され、その誘電体層３上には保護膜４が形成されている。
【００１６】
また、前記前面側の基板１に対向配置される背面側の基板５上には、スキャン電極及びサステイン電極の表示電極２と交差するように、オーバーコート層６で覆われた複数列のストライプ状のアドレス電極７が形成されている。このアドレス電極７間のオーバーコート層６上には、アドレス電極７と平行に複数の隔壁８が配置され、この隔壁８間の側面及びオーバーコート層６の表面に蛍光体層９が設けられている。
【００１７】
これらの基板１と基板５とは、スキャン電極及びサステイン電極の表示電極２とアドレス電極７とがほぼ直交するように、微小な放電空間を挟んで対向配置されるとともに、周囲が封止され、そして前記放電空間には、ヘリウム、ネオン、アルゴン、キセノンのうちの一種または混合ガスが放電ガスとして封入されている。また、放電空間は、隔壁８によって複数の区画に仕切ることにより、表示電極２とアドレス電極７との交点が位置する複数の放電セルが設けられ、その各放電セルには、赤色、緑色及び青色となるように蛍光体層９が一色ずつ順次配置されている。
【００１８】
図２にこのプラズマディスプレイパネルの電極配列を示している。図２に示すようにスキャン電極及びサステイン電極とアドレス電極とは、Ｍ行×Ｎ列のマトリックス構成であり、行方向にはＭ行のスキャン電極ＳＣＮ１〜ＳＣＮＭ及びサステイン電極ＳＵＳ１〜ＳＵＳＭが配列され、列方向にはＮ列のアドレス電極Ｄ１〜ＤＮが配列されている。
【００１９】
このような電極構成のプラズマディスプレイパネルにおいては、アドレス電極とスキャン電極の間に書き込みパルスを印加することにより、アドレス電極とスキャン電極の間でアドレス放電を行い、放電セルを選択した後、スキャン電極とサステイン電極との間に、交互に反転する周期的な維持パルスを印加することにより、スキャン電極とサステイン電極との間で維持放電を行い、所定の表示を行うものである。
【００２０】
図３に上記で説明した構造のパネルを組み込んだプラズマディスプレイ装置の全体構成の一例を示している。図において、表示パネルとしてのパネル１０を収容する筐体は、前面枠１１と金属製のバックカバー１２とから構成され、前面枠１１の開口部には光学フィルター及びパネル１０の保護を兼ねたガラス等からなる前面カバー１３が配置されている。また、この前面カバー１３には電磁波の不要輻射を抑制するために、例えば金属メッシュによる遮蔽部材が配置されている。さらに、バックカバー１２には、パネル１０等で発生した熱を外部に放出するための複数の通気孔１２ａが設けられている。
【００２１】
前記パネル１０は、背面側に平板形状のアルミニウム等からなるシャーシ部材１４の前面を熱伝導シート１５を介して接着することにより配置してパネル１０を保持し、そしてシャーシ部材１４の背面側には、パネル１０に駆動信号を供給するための複数の駆動回路基板１６が取り付けられ、これによりパネルモジュールが構成されている。前記熱伝導シート１５は、パネル１０で発生した熱をシャーシ部材１４に効率よく伝え、放熱を行うためのものである。また、駆動回路基板１６はパネル１０の表示駆動とその制御を行うための電気回路を備えており、パネル１０の縁部に引き出された電極引出部に、シャーシ部材１４の四辺の縁部を越えて延びる複数のフレキシブル配線板（図示せず）によって電気的に接続されている。
【００２２】
また、シャーシ部材１４の背面には、駆動回路基板１６を取り付けたり、バックカバー１２を固定するためのピン１４ａが設けられている。
【００２３】
本発明はこのようなプラズマディスプレイ装置において、パネルの状態で輸送する場合に、この輸送時における衝撃よりパネルが破損するのを防ぐとともに、安価な梱包部材による梱包が可能な梱包方法を提供するものであり、以下その実施の形態について図４〜図１２を用いて詳しく説明する。
【００２４】
図４は本発明の一実施の形態による表示パネルモジュールの梱包方法において、モジュール梱包体を示す斜視図、図５は分解斜視図である。
【００２５】
図４、図５において、１７はパネルモジュールで、上述したように、パネル１０の背面側に金属製のシャーシ部材１４を配置するとともに前記シャーシ部材１４の背面側に前記パネル１０に駆動信号を供給する駆動回路基板１６を取り付けることにより構成されている。
【００２６】
そして、本発明においては、パネルモジュール１７の長手方向の両端部に、この両端部のみを覆うように緩衝カバー１８を配置することによりモジュール梱包体１９が構成されている。前記緩衝カバー１８は、パネル１０側を覆う前カバー１８ａと、シャーシ部材１４の背面側を覆う後カバー１８ｂとから構成され、前記パネルモジュール１７の長手方向の両端部のみを、パネル１０、シャーシ部材１４および駆動回路基板１６との間に隙間をあけて挟み込むように組み合わせることにより、パネルモジュール１７の長手方向の両端部のみを覆っている。なお、図示していないが、パネルモジュール１７全体は、緩衝カバー１８とは別に、静電気防止処理などを施したプラスチック製の保護シートにより覆われており、この保護シートでパネルモジュール１７全体を覆った後、緩衝カバー１８により両端部のみ覆っている。
【００２７】
このように構成されたモジュール梱包体１９は、図６、図７に示すように、パネル１０が垂直となるように立てた状態で、梱包箱２０のパレット２０ａ上に複数個並べて収容される。図６は、１個のモジュール梱包体１９を収容した状態を示す図で、梱包箱２０のパレット２０ａのコーナー部には、あらかじめ紙などからなるＬ字形状の支柱２１が取り付けられており、パレット２０ａ上にモジュール梱包体１９を並べて収容する際に倒れるのを防止している。図７に示すように、順次モジュール梱包体１９を梱包箱２０のパレット２０ａに並べて収容した後、図８に示すように、上記Ｌ字形状の支柱２１と同様に、支柱２１をコーナー部に取り付け、さらにモジュール梱包体１９の並べる方向の前後に、梱包箱２０を構成する紙からなる側壁板２０ｂを配置するとともに、同じく梱包箱２０を構成する天板２０ｃを上部から被せることにより、図９に示すように、モジュール梱包体１９が梱包箱２０に収容されることとなる。
【００２８】
このように、パネルモジュール１７の両端部にこの両端部のみを覆うように緩衝カバー１８を配置してモジュール梱包体１９を構成し、このモジュール梱包体１９をパネル１０が垂直となるように立てた状態として複数個梱包箱２０に収容する構成であり、パネル１０の厚み方向に荷重が加わりにくくなり、パネル１０の輸送時の破損を簡単な構成で防ぐことができる。しかも、パネルモジュール１７の両端部にこの両端部のみを覆うように緩衝カバー１８を配置してモジュール梱包体１９するのみで、緩衝カバー１８によって、梱包箱２０に収容したパネルモジュール１７間の間隔を十分に確保することができ、輸送途中の振動によってパネルモジュール１７どうしがぶつかり合うということもなく、梱包部材も簡単で少ない材料で済むという効果も得られる。
【００２９】
ここで、図８においては図示していないが、本発明においては、図１０に示すように、モジュール梱包体１９をパレット２０ａ上に並べ終わった後、最後のモジュール梱包体１９と、少なくともその１個前のモジュール梱包体１９、すなわち少なくとも２個のモジュール梱包体１９を連結するようにモジュール梱包体１９の上部コーナー部に、図１１に示すようなコの字形状をしたストッパー２２を被せた状態で梱包されている。これにより、パネルモジュール１７の顧客がパレット２０ａ上から順次モジュール梱包体１９を取り出して完成品を組み立てる際、パレット２０ａ上のモジュール梱包体１９が倒れるのを防止するという効果が得られる。
【００３０】
すなわち、図１２（ａ）に示すように、ストッパー２２がない場合、パレット２０ａ上から順次モジュール梱包体１９を取り出して完成品を組み立てる際、モジュール梱包体１９を支える部材がないため、モジュール梱包体１９は容易に倒れてしまうおそれがあるが、図１２（ｂ）に示すように、ストッパー２２がある場合、モジュール梱包体１９は容易に倒れにくくなるという効果が得られる。
【産業上の利用可能性】
【００３１】
以上のように本発明によれば、表示パネルモジュールを輸送する上で有益な発明である。
【符号の説明】
【００３２】
１０  パネル
１７  パネルモジュール
１８  緩衝カバー
１９  モジュール梱包体
２０  梱包箱
２０ａ  パレット
２０ｂ  側壁板
２０ｃ  天板
２１  支柱
【図１】
2010241481.tif 000003
【図２】
2010241481.tif 000004
【図３】
2010241481.tif 000005
【図４】
2010241481.tif 000006
【図５】
2010241481.tif 000007
【図６】
2010241481.tif 000008
【図７】
2010241481.tif 000009
【図８】
2010241481.tif 000010
【図９】
2010241481.tif 000011
【図１０】
2010241481.tif 000012
【図１１】
2010241481.tif 000013
【図１２】
2010241481.tif 000014